(57)【要約】      （修正有）【課題】温度変化に伴うレンズの歪み変化や取付具の取付位置変化に影響されず、かつ安価なステレオカメラを提供する。【解決手段】被写体に対して視差を有する画像を取得するステレオカメラにおいて、直交する方向に偏光方向が異なる視差を有する２つの画像の光路を１つに重ね合わせるクロスプリズム２０５及び偏光ビームスプリッタ等を含む偏光合波手段と、少なくとも２つの偏光方向の輝度を検出する撮像素子２０２と、重ね合わさった画像を撮像素子２０２に結像させるレンズ２０４とを有する。【選択図】図４
2014199241.tif 000002
【特許請求の範囲】
【請求項１】
被写体に対して視差を有する画像を取得するステレオカメラにおいて、
直交する方向に偏光方向が異なる視差を有する２つの画像の光路を１つに重ね合わせる偏光合波手段と、
少なくとも２つの偏光方向の輝度を検出する撮像手段と、
重ね合わさった画像を前記撮像手段に結像させる光学部材と
を有することを特徴とするステレオカメラ。
【請求項２】
請求項１記載のステレオカメラについて、
前記撮像手段によって撮像した画像から、偏光方向ごとに画像を分離することにより、視差をもった２つの画像を形成し、形成した２つの画像間の視差により被写体までの距離を算出する距離算出手段を有することを特徴とするステレオカメラ。
【請求項３】
請求項１又は２に記載のステレオカメラにおいて、
視差を有する２つの画像を１つの光路に重ね合わせる偏光合波手段を設け、２つの画像の光路における光路長を互いに略同じにすることを特徴とするステレオカメラ。
【請求項４】
請求項１記載のステレオカメラにおいて、
前記光学部材は、ズーム機能を有することを特徴とするステレオカメラ。
【請求項５】
請求項１〜４のいずれかに記載のステレオカメラにおいて、
前記光学部材は車両の車内に設置し、前記偏光合波手段は車両の車外に設置することを特徴とするステレオカメラ。
【請求項６】
請求項１記載のステレオカメラにおいて、
前記偏光合波手段は、被写体からの画像が最初の反射面から次の反射面までに媒質で充填されていることを特徴とするステレオカメラ。
【請求項７】
請求項１記載のステレオカメラにおいて、
前記偏光合波手段は、偏光ビームスプリッタ及びミラーを含んで構成されていることを特徴とするステレオカメラ。
【請求項８】
請求項１記載のステレオカメラにおいて、
前記偏光合波手段は、ハーフミラー及び偏光子を含んで構成されていることを特徴とするステレオカメラ。
【請求項９】
請求項７記載のステレオカメラにおいて、
前記偏光合波手段は、偏光子を含んで構成されていることを特徴とするステレオカメラ。
【請求項１０】
請求項７〜９のいずれかに記載のステレオカメラにおいて、
前記偏光合波手段は、２つの画像のいずれかの画像に対して偏光する１／２波長板を含んで構成されていることを特徴とするステレオカメラ。
【請求項１１】
請求項７〜９のいずれかに記載のステレオカメラにおいて、
前記偏光合波手段は、２つの画像のそれぞれに対して偏光する１／４波長板を含んで構成されていることを特徴とするステレオカメラ。
【請求項１２】
請求項７〜９のいずれかに記載のステレオカメラにおいて、
前記偏光合波手段は、偏光状態をランダムに変化させる媒質を含んで構成されていることを特徴とするステレオカメラ。
【請求項１３】
請求項７記載のステレオカメラにおいて、
前記偏光ビームスプリッタの光学面又は前記ミラーの反射面が前記光学部材の画角中央の光線とのなす角度が４５度より大きく設定されるように、前記偏光ビームスプリッタ又は前記ミラーを設置していることを特徴とするステレオカメラ。
【請求項１４】
請求項８記載のステレオカメラにおいて、
前記ハーフミラーの光学面又は前記偏光子の反射面が前記光学部材の画角中央の光線とのなす角度が４５度より大きく設定されるように、前記ハーフミラー又は前記偏光子を設置していることを特徴とするステレオカメラ。
【請求項１５】
請求項１〜１４のいずれかに記載のステレオカメラにおいて、
前記偏光合波手段と前記光学部材との間に、前記光学部材に入射する光線の量を規制する光学絞りを配置することを特徴とするステレオカメラ。
【請求項１６】
請求項１〜１５のいずれかに記載のステレオカメラにおいて、
前記偏光ビームスプリッタは、ワイヤグリッド構造の偏光子膜が形成された面を有する偏光板を備えていることを特徴とするステレオカメラ。
【請求項１７】
請求項１記載のステレオカメラにおいて、
前記偏光合波手段は、クロスプリズムを含んで構成されていることを特徴とするステレオカメラ。
【請求項１８】
請求項１〜１７のいずれかに記載のステレオカメラにおいて、
前記視差をもった２つの画像間のクロストークを除去するクロストーク除去手段を有することを特徴とするステレオカメラ。
【請求項１９】
請求項１８記載のステレオカメラにおいて、
前記クロストーク除去手段は、画面上の位置によってクロストークをキャンセルする量を変化させることを特徴するステレオカメラ。
【請求項２０】
請求項１７記載のステレオカメラにおいて、
前記クロスプリズムは、ワイヤグリッド構造の偏光子膜が形成された面を有する偏光板を備えていることを特徴とするステレオカメラ。
【請求項２１】
請求項１７記載のステレオカメラにおいて、
前記クロスプリズムにおける対向する側面に三角柱プリズム又は四辺柱プリズム又はミラーを設けることを特徴とするステレオカメラ。
【請求項２２】
請求項１〜２１のいずれかに記載のステレオカメラにおいて、
被写体から撮像手段までの間に赤外線カットフィルタを設けることを特徴とするステレオカメラ。
【請求項２３】
請求項１〜２２のいずれかに記載のステレオカメラにおいて、
前記光学部材の光学面において前記撮像手段の撮像面に結像する光が入射する範囲にアライメントマーカーを設けることを特徴とするステレオカメラ。
【請求項２４】
請求項２３記載のステレオカメラにおいて、
前記アライメントマーカーは、曲率を有する面を備える透明部材であり、前記曲率を有する面によって焦点を前記撮像手段の撮像面上に結ぶことを特徴とするステレオカメラ。
【請求項２５】
請求項１〜２４のいずれかに記載のステレオカメラにおいて、
前記撮像手段とは前記視差を有する２つの画像を重ね合わせる手段を挟んで対峙するように、別の撮像手段を設けることを特徴とするステレオカメラ。
【請求項２６】
請求項２５記載のステレオカメラにおいて、
移動体のウインドシールド上に特定波長の光を投光する光投光手段と、前記撮像手段とは前記視差を有する２つの画像を重ね合わせる手段を挟んで対峙するように設けられた光検出手段と、前記光検出手段に特定波長の光のみを透過させるフィルタとを有し、前記ウインドシールドからの反射光の光量に基づき前記ウインドシールドに付着する雨滴を検出することを特徴とするステレオカメラ。
【請求項２７】
請求項１〜２６のいずれかに記載のステレオカメラにおいて、
前記視差をもった２つの画像の内の少なくとも一つに対して、座標変換処理を行う座標変換手段を有することを特徴とするステレオカメラ。
【請求項２８】
請求項２〜２７のいずれかに記載のステレオカメラにおいて、
前記視差をもった２つの画像のブロックマッチング演算の中に、ブロック内の平均値を減算する距離算出手段を有することを特徴とするステレオカメラ。
【請求項２９】
請求項１記載のステレオカメラにおいて、
前記撮像手段は、画素ごとに異なる方向の偏光子を有することを特徴とするステレオカメラ。
【請求項３０】
請求項２９記載のステレオカメラにおいて、
前記撮像手段によって撮像化した画素の偏光状態を補間する偏光状態補間処理手段を有することを特徴とするステレオカメラ。
【発明の詳細な説明】
【技術分野】
【０００１】
本発明は、被写体に対する視差を有する画像を取得するステレオカメラに関するものである。
【背景技術】
【０００２】
従来、自車両前方の先行車両との車間距離を測定し、その車間距離を維持するための自車速度調整機能を有するＡＣＣ（Adaptive Cruise Control）等の運転者支援システムが開発されている。先行車両との距離を測定する技術として、従来からステレオカメラが知られている。ステレオカメラは、被写体に対して視差を有する２つの撮像手段の撮影画像を解析することにより、被写体の位置情報を演算するものである。このステレオカメラとして特許文献１〜３に記載のものが知られている。特許文献１、２のステレオカメラでは、左右のレンズ群の光学部材を介して得られる２つの画像を形成する光を偏光フィルタに入射させることによって、２つの偏光成分の光をそれぞれ取得する。取得した２つの偏光成分の光は、撮像部の撮像素子における受光素子の配列に対応して配列されている偏光子領域にそれぞれ入射されて、２つの偏光成分の光の偏光方向に対応する受光素子に受光される。各受光素子で受光した２つの偏光成分の光によって形成される画像から視差画像を生成し、この視差画像に基づいて被写体までの距離を測定している。特許文献３のステレオカメラには、撮像素子上に領域分割した偏光子を組み込み、対応する左右の画像を形成する光をレンズへの違う入射角にそれぞれに割り当てることでステレオ画像を撮像するシステムが提案されている。
【発明の概要】
【発明が解決しようとする課題】
【０００３】
上記特許文献１、２のステレオカメラを用いて左右の画像の視差により被写体までの距離を高精度に測定するためには、対応する左右の画素どうしが０．１ピクセル精度でほぼ一致するようにする。そして、左右の撮像系によって撮影される同じ画像の対応する画素位置が一致させることが必要である。そのため、距離測定には、チャートなどを撮影してチャートの画像に基づいてレンズの固体差を含んだ歪みや左右の撮像手段の位置をキャリブレーションすることが必須となっている。
【０００４】
しかしながら、上記特許文献１、２のステレオカメラでは左右独立のレンズ群の光学部材を用いているので、左右の光学部材に温度差があるだけでも左右の光学部材の歪みの出方が互いに異なる。この結果、左右の撮像手段の対応画素に数ピクセルの位置誤差が発生してしまう。また、左右の撮像手段間の位置を固定する取付具には通常金属を用いており、金属の線膨張係数は一般にガラスに比べて非常に大きい。そのため、環境温度変化によって、左右の撮像手段の取付位置関係は容易にずれてしまい、左右の撮像手段において互いに対応する画素に数ピクセルの位置誤差が発生してしまう。このような問題は上記特許文献３の構成でも発生し、鏡を用いて２つの光を重ね合わせる構成では、レンズに入射して対応する左右からの光の入射角度をまったく同じに重なることはできない。つまり、左右からの光を完全に重ねることができない。このため、同じく温度によりレンズの歪みなどが変わった場合左右の対応画素がずれることになる。このような環境温度変化による誤差を修正するために、光学部材の歪みの補正や左右の撮像手段の取付位置に対する補正を含むキャリブレーションを随時行う必要があったため、装置自体が高価になるという問題があった。
【０００５】
本発明は以上の問題点に鑑みなされたものであり、その目的は、温度変化に伴うレンズの歪み変化や撮像手段の取付具の取付位置変化に影響されず、かつ安価なステレオカメラを提供することである。
【課題を解決するための手段】
【０００６】
上記目的を達成するために、請求項１の発明は、被写体に対して視差を有する画像を取得するステレオカメラにおいて、直交する方向に偏光方向が異なる視差を有する２つの画像の光路を１つに重ね合わせる偏光合波手段と、少なくとも２つの偏光方向の輝度を検出する撮像手段と、重ね合わさった画像を前記撮像手段に結像させる光学部材とを有することを特徴とするものである。
【発明の効果】
【０００７】
本発明では、視差を有する２つの画像を形成する左右の光の光路が重ね合わされて、重ね合わされた光は光学部材を介して撮像手段に結像している。このため、温度変化により光学部材の歪みが変化した場合、その歪みの影響は、視差を有する２つの画像を形成する光それぞれに同じように及ぶ。温度変化により撮像手段の取付位置がずれた場合、その取付位置ずれによって、視差を有する２つの画像を形成する光が撮像手段の受光面上でそれぞれ同じように変化する。この結果、温度による光学部材の歪みや撮像手段の取付位置変化が例えば被写体までの距離算出に与える影響は少ない。これにより、温度変化に伴う光学部材の歪みの補正や撮像手段の取付位置ずれに対する補正を含むキャリブレーションを行う必要がなくなる。よって、温度変化に伴うレンズの歪み変化や撮像手段の取付具の取付位置変化に影響されず、かつ安価なステレオカメラを提供できる、という特有な効果が得られる。
【図面の簡単な説明】
【０００８】
【図１】（ａ）、（ｂ）はステレオカメラの実施例１の構成を示す概略図である。
【図２】（ａ）、（ｂ）は被写体からプリズム分の光路厚さを通って、レンズにより撮像素子に結像する光路の例を示す図である。
【図３】ステレオカメラの実施例２の構成を示す図である。
【図４】ステレオカメラの実施例２の構成を示す図である。
【図５】ステレオカメラを車両に搭載した例を示す図である。
【図６】実施例２の変形例１の構成を示す図である。
【図７】実施例２の変形例２の構成を示す図である。
【図８】ステレオカメラの実施例３の構成を示す概略図である。
【図９】ステレオカメラの実施例４の構成を示す概略図である。
【図１０】クロスプリズムとプリズムとの間を保持する様子を示す概略図である。
【図１１】（ａ）、（ｂ）はステレオカメラの実施例５の構成を示す概略図である。
【図１２】光学絞りを撮像レンズの内部に配置した場合の概略図である。
【図１３】ステレオカメラの実施例５の構成を示す図である。
【図１４】ステレオカメラの実施例６の構成を示す図である。
【図１５】ステレオカメラの実施例７の構成を示す図である。
【図１６】ステレオカメラの実施例８の構成を示す図である。
【図１７】ステレオカメラの実施例９の構成を示す図である。
【図１８】ステレオカメラの実施例１０の構成を示す図である。
【図１９】キャリブレーションを説明する概略図である。
【図２０】偏光選択型のクロスプリズムの構成の一例を示す概略斜視図である。
【図２１】偏光選択型のクロスプリズムの構成を示す概略平面図である。
【図２２】クロスプリズムに入射する光の光路の様子を示す概略平面図である。
【図２３】クロスプリズムに入射する光の光路の様子を示す概略平面図である。
【図２４】ワイヤグリッド構造で形成された偏光子膜の顕微鏡写真を示す図である。
【図２５】クロスプリズムの製造工程の一例を示す模式工程図である。
【図２６】クロスプリズムの製造工程の一例を示す模式工程図である。
【図２７】クロスプリズムの製造工程の一例を示す模式工程図である。
【図２８】クロスプリズムの変形例１を示す概略平面図である。
【図２９】クロスプリズムの変形例２の構成を示す概略平面図である。
【図３０】クロスプリズムの変形例２の光路の様子を示す概略平面図である。
【図３１】クロスプリズムの変形例２の光路の様子を示す概略平面図である。
【図３２】クロスプリズムの変形例３の構成を示す概略平面図である。
【図３３】（ａ）は、クロスプリズムの変形例４の構成を示す概略平面図であり、（ｂ）及び（ｃ）は、クロスプリズムの変形例４の光の光路の様子を示す概略平面図である。
【図３４】（ａ）、（ｂ）、（ｃ）はクロスプリズムの構成例を示す図である。
【図３５】光学フィルタと撮像素子の位置関係の対応を例示する図である。
【図３６】光学フィルタと撮像素子の位置関係の断面図である。
【図３７】（ａ）はモノクロセンサにおける画像処理装置の全体構成を示すブロック図であり、（ｂ）は視差計算処理部の構成を示すブロック図である。
【図３８】（ａ）はＲＣＣＣ／カラーセンサにおける画像処理装置の全体構成を示すブロック図であり、（ｂ）は視差計算処理部の構成を示すブロック図である。
【図３９】偏光分離処理を説明する図である。
【図４０】クロスプリズムにおけるプリズム間の隙間を説明する図である。
【図４１】（ａ）、（ｂ）は画像上の隙間を埋める処理を説明する図である。
【図４２】カラーフィルタ及び偏光フィルタの配列を説明する図である。
【図４３】倍率色収差補正と歪曲収差補正の原理を説明する図である。
【図４４】撮像素子で実際に撮像される位置を説明する図である。
【図４５】（ａ）、（ｂ）は倍率色収差と歪曲収差の補正を説明する図である。
【図４６】（ａ）、（ｂ）は等角直線フィッティング及びパラボラフィッティングにおけるサブピクセル推定値と相違度の関係を示す特性図である。
【発明を実施するための形態】
【０００９】
以下、本発明のステレオカメラに係る実施形態の構成について説明する。
図１は実施形態のステレオカメラの実施例１の構成を示す概略図である。各図１（ａ）と図１（ｂ）に示すステレオカメラ１００は、偏光合波手段としての偏光重畳モジュール１０１、光学部材としてのレンズ１０２、フィルタ１０３及び撮像素子１０４を含んで構成されている。フィルタ１０３及び撮像素子１０４は撮像手段として機能する。そして、偏光重畳モジュール１０１は、偏光ビームスプリッタ１０１−１、偏光フィルタ１０１−２及びミラー１０１−３を備えている。図１に示すステレオカメラ１００は、偏光ビームスプリッタ１０１−１と偏光フィルタ１０１−２を用いて視差を有する２つの画像を形成する光（左右からの光）の２つの光路を合成し、１つのレンズ１０２を介して１つの撮像素子１０４で撮像する。つまり、レンズ１０２の前で完全に２つの光路は合成され、１つのレンズしか通らない。このため、レンズの特性が温度でずれたり、レンズの位置がずれたり、あるいはセンサの位置がずれたりしようが、両方の画像が同じようにずれるだけなので、完全に影響をキャンセルすることができる。これにより、非常に耐環境性のあるステレオカメラを実現できる。また、レンズとセンサが１つで済むため、安価である。更に、撮像素子とレンズとの位置関係がずれた場合にも、左右の画像が同じようにずれるため原理的に影響をキャンセルすることができる。各図１（ａ）及び図１（ｂ）のフィルタ１０３は、画素ごとに偏光子を有するフィルタである。ただし、各図１（ａ）及び図１（ｂ）の構成においては、左右からの光の光路において、光路長差が生じており、例えば２つ画像の視差におけるピクセルマッチング処理で生じた光路長差を補填する処理が必要となるため現実的ではない。
【００１０】
また、この構成では、左右からの各光の被写体からの距離が異なるため、レンズを通る同一位置の左右からの光の光路が互いに一致しない。そのため、温度特性などにより、左右の画像の位置関係がずれてしまうという問題があった。人が眼でみるための三次元撮影・表示システムであり、高精度な左右の画像のマッチングが必要とされる距離を測定する測距演算が目的ではない場合にはこのような構成でも問題ない。しかし、測距演算を行う場合には、前述のとおり、測距演算のためには左右の画素どうしが０．１ピクセル精度でほぼ一致するようにする必要がある。このため、この構成では温度が変化した場合などに測距距離の誤差が大きくなる。
【００１１】
次に、プリズム（偏光合波手段としての偏光重畳モジュール）分の光路厚さにより被写体からの光の光路が変わる点について説明する。図２（ａ）及び図２（ｂ）に示す例は、被写体１１１からプリズム分の光路厚さを通って、レンズ１１３により撮像素子１１４に結像する光の光路の例である。図２（ａ）に示すように、被写体１１１からの左右の光は共に同じプリズム１１２を通る。そして、プリズム１１２の光路厚さが図２（ａ）に示されるような場合には、左右からの光ともレンズ１１３を通る同じ光路を有しているので、外乱の影響をキャンセルすることが可能である。しかし、図２（ｂ）に示すように、プリズム１１２の光路厚さが図２（ａ）のプリズム１１２の光路厚さより厚くなった場合には、図２（ｂ）中の点線で示すようにレンズ１１３を通る光の光路がずれることになる。図２（ｂ）中の実線は図２（ａ）の光路を示している。ここで、例えば、左右からの各光の被写体１１１からの距離が異なり、レンズ１１３を通る同一位置の左右の光の光路が互いに一致しない場合には、右からの光が図２（ａ）の状態、左からの光が図２（ｂ）の状態となる。これでは、温度など外乱の影響をキャンセルすることができない。
【００１２】
図３及び図４は本実施形態のステレオカメラの実施例２の構成を示す図である。図４に示すように、ステレオカメラ２００は、基板２０１上に撮像素子２０２が実装され、撮像素子２０２上に光学フィルタ２０３が密着配置している。撮像レンズ２０４を介して被写体情報を得る。撮像レンズ２０４の前段には偏光選択型のクロスプリズム２０５が配置されている。更に、偏光選択型のクロスプリズム２０５の側面２０６、２０７に近接して二つの三角柱のプリズム２０８、２０９がそれぞれ左右に設けられている。
【００１３】
ステレオカメラ２００では光学フィルタ２０３としてＰ偏光情報とＳ偏光情報を画素単位で抽出可能な領域分割型偏光フィルタを有している。また、撮像レンズ２０４の前段に偏光選択型のクロスプリズム２０５、さらにクロスプリズム２０５に隣接してプリズム２０８、２０９を２個配置している。プリズム２０８、２０９は＋Ｚ方向からの光をＹ軸方向に偏光反射する全反射面を有する。偏光選択型のクロスプリズム２０５は、−Ｙ方向から側面２０６に入射するＳ偏光成分の光と、＋Ｙ方向から側面２０７に入射するＰ偏光成分の光を側面２１０の方向に偏光反射する。これにより、−Ｙ方向のＳ偏光と、＋Ｙ方向のＰ偏光が抽出することが可能である。
【００１４】
図１のステレオカメラ１００とは異なり、各図３及び図４に示されるステレオカメラ２００は＋Ｚ方向のＰ偏光とＳ偏光を同時取得することが可能である。また、図４から明らかなように、左右のプリズム２０８、２０９の光線有効範囲の間に一定の距離を有するため、光路が互いに一致したＰ偏光とＳ偏光によって形成される画像から視差画像を形成することが可能である。このように本実施形態のステレオカメラは被写体までの距離情報が取得可能なステレオカメラとして構成されている。従来の単一撮像素子と単一レンズをふた組並列配置させたステレオカメラに比べて、撮像レンズと撮像素子がひと組で済むため低コスト化が図れる。また、従来のステレオカメラではレンズ間の隙間を支持する筐体の熱膨張などによる基線長の変化の測距誤差が生じる。しかし、本ステレオカメラでは撮像レンズは１つであり、かつ支持部材自体に対応するプリズム自体が金属に対して熱膨張率の小さいため、基線長変化の測距への影響も抑制することが可能である。
【００１５】
なお、プリズムのように、ガラスなどの媒質で充填された構造ではなく、後述するように単なるミラーとクロス形状に配置される偏光板の組み合わせでも同様の構造は作れる。その場合、レンズの画角が狭くならず、プリズムの場合と同じ角度で各ミラーは光を受ける必要がある。このため、偏光合波手段としての偏光重畳モジュールがきわめて大きくなる。よって、特に距離が長い被写体に近いミラー面から次のミラー面までが高屈折率の媒質で充填されている構造を用いることが小型化には重要である。
【００１６】
本実施形態のステレオカメラを、例えば、図５に示すように自動車の車両前方領域を確認するものとして使用することが可能である。車両前方確認装置は、自動車のフロントガラス内側のバックミラー付近に装備されたステレオカメラ３０１と、ステレオカメラ３０１からの情報に基づいて、ドライバへの警告や車両の制御を行うための信号処理装置３０２とを含んで構成されている。ドライバへの警告方法としては、スピーカを使って音声などにより障害物情報を警告する。また車両制御としては、障害物がある場合は減速させたりする。本実施形態のステレオカメラを用いれば、車両前方の画像情報だけでなく、車両前方の先行車や歩行者までの距離情報を取得可能であり、障害物がある場合は運転者に早期警告を行うなどの、運転の安全性を確保することができる。
【００１７】
なお、車の車内に本実施形態のステレオカメラを設置する場合には、フロントガラスなどガラスを通じて外の被写体を撮影することになる。その時、フロントガラスの歪みや厚みムラ、曲率などが左右の対応する部分で異なり、左右からの光が形成する画像のマッチングが取れなくなる場合がある。これをキャンセルするためには、車内に撮像素子やレンズ部のみを設置し、ガラスよりも外側にクロスプリズムを設置すると良い。こうすることで、左右からの光共に同じフロントガラスの部分を通ることになり、同じようにフロントガラスの影響を受けるため、左右からの光が形成する画像はフロントガラスの具合によらず常にマッチングが可能となる。
【００１８】
また、本実施形態のステレオカメラは、人間の左右の眼に異なる画像を映しだすことにより、人間の眼に３次元の画像を表示するテレビと映画投影機などの表示装置とを組み合わせる。この結果、３次元の画像の取得と表示とを行う３次元画像取得・表示システムを構成することができる。人間の眼は左右の画像の回転や、大きさ、上下のずれ、また画質の違いに敏感である。このため、従来の２つのレンズを有するステレオカメラでは、ズーム／フォーカスを変更する際に、左右のレンズを連動させ、光軸や画像サイズ、フォーカスのずれを生じさせないように複雑な操作技術が必要とされていた。それに対して、本発明の構成では、単一のレンズに対して視差を持った２つの画像を形成する光が入射されるため、単一のレンズのズームやフォーカスを変更すれば、人間の左右の眼で見られる画像に全く同じ変化が反映される。これにより、左右で２つの異なる光学特性を持つことによって生じる光軸や画像サイズ、フォーカスずれを抑制することが可能で自然な立体画像を取得することができる。なお、ズームなどの光学系を可変にする場合には、２つのレンズの特性を厳密に補正するのは非常に困難となるため、本発明の構成は特に有用である。
【００１９】
また、プリズムの屈折率により入射光の角度が浅くなる現象が使えなくなるために、光学レイアウトが若干大きくなるが、図４の構成のプリズム２０８、２０９をミラー２１１、２１２に替えた実施例２の変形例１の図６の構成でも良い。また、実施例２の変形例２の図７に示すように、中央に配置されるクロスプリズム２０５に関しても、プリズムではなく、単なるクロス形状に配置される偏光板２５０−１、２５０−２の組み合わせ（図７中では偏光選択型クロス板２５０）としても良い。その場合には、同じくプリズムの屈折率により入射光の角度が浅くなる現象が使えなくなるために、光学レイアウトが若干大きくなるものの、使用する硝材の量が少なくて済むため、コストを下げることができる。左右にはプリズムが配置され、中央部には偏光選択型クロス板が配置される構成でも良い。
【００２０】
次に、ステレオカメラの実施例３について説明する。
図８はステレオカメラの実施例３の構成を示す概略図である。図８に示すステレオカメラ２００は、偏光選択型のクロスプリズム２０５の上と下でセンサユニットを設けている。例えば、撮像素子２１４がカラー、撮像素子２０２がモノクロとする。あるいは、撮像素子２１４を高解像度なモノクロ、撮像素子２０２を低解像度なカラーとする。一般に色情報は輝度情報、また距離情報よりも高い空間分解能は必要ないことを前提と考えると、高い測距性能を確保できる高感度高解像度なモノクロセンサと、モノクロよりも感度で劣るカラーセンサは低解像度というセットで使う。これにより、明るい場面から暗い場面まで高い測距性能と、色情報を同時に得ることができる。また、この場合も光軸が左右で一致するため、キャリブレーションが容易である。
【００２１】
次に、ステレオカメラの実施例４について説明する。
図９はステレオカメラの実施例４の構成を示す概略図である。図９に示すステレオカメラ２００は、雨滴検出機能を持たせたものである。ＬＥＤ赤外光の光源２２０をウインドシールド２２１に投光し、センサ上面に付加した投光波長の光のみを通過させるフィルタ２２３を通じて、その反射光を見ることでウインドシールド２２１に付着した雨滴を検出することが可能である。そして、フロントガラスの全面が検出エリアとして利用できるため、より高感度な雨滴検出が可能となる。精度を向上させるためには、検出面積が大きいことが重要であるが、図９の上部を使うことで、ステレオカメラと干渉せずに画面全面に対して検出を行うことができる。また、検出としては、画面全面における反射光の光量の和を見ればよいので、必ずしも検出に撮像素子を用いる必要はなく、かつ雨滴検出用のレンズの解像度も必要ない。このため、１つのＰＤ（Ｐｈｏｔｏ  Ｄｅｔｅｃｔｏｒ）２２２と簡単なレンズ（例えば単レンズ）２２４などを用いる構成でも問題ない。
【００２２】
ここで、ステレオカメラの固定について説明する。
クロスプリズム２０５と各プリズム２０８、２０９との間は接着剤で固定しても良い。左右の光線を合わせるために、プリズムの角度を調整する必要がある場合には、クロスプリズム２０５と各プリズム２０８、２０９の間に若干隙間ができる場合がある。その場合には、図１０のようにクロスプリズム２０５と各プリズム２０８、２０９との間を保持する保持部材２３０で固定するのが良い。保持部材２３０が金属の場合には、その金属はプリズム２０８、２０９を主に構成するガラスに比べて熱膨張率が非常に大きい。このため、なるべく金属の保持部材２３０が短くて済むように、図１０のように隙間を埋めるだけのできるだけ小さい方が良い。また、可能であれば保持部材２３０に関しても同様に熱膨張率が小さいガラスで構成すると、温度特性に対する耐環境性が良くなる。
【００２３】
次に、ステレオカメラの実施例５について説明する。
各図１１（ａ）及び図１１（ｂ）はステレオカメラの実施例５の構成を示す概略図である。本実施例は、実施例１〜４で用いていた、偏光選択型のクロスプリズムや偏光選択型の偏光板を用いずに、ＰＢＳ（偏光ビームスプリッタ）膜とミラー面（反射面）を用いている。そして、実施例１における左右からの光の光路において、光路長差が生じているという課題を解決できる構成である。本実施例の構成では、左右からの光（光Ｌとしての左の光、及び光Ｒとしての右の光）の光路長は略同一となっている。このため、通常のステレオカメラと同じく、単に視差演算の際に横方向のピクセルのみを探索することで視差を得ることができる。また、この構成では、クロスプリズムを用いる構成と異なり、一枚のＰＢＳとミラーとを用いるため、画面中央の欠陥部（隙間）は存在せず、後述の隙間を埋める処理は必要なくなる。光Ｒ（一方の光）はミラー面（反射面）２３３により反射され、更に光ＲのＰ偏光の光は偏光ビームスプリッタ膜２３１で反射される。光Ｌ（他方の光）はミラー面２３２、２３４によりそれぞれ反射され、光ＬのＳ偏光の光は偏光ビームスプリッタ膜２３１を透過する。そして、Ｐ偏光とＳ偏光の光が合波され、撮像レンズ２０４に入射されて撮像素子２０２に結像する。光Ｌ、Ｒとは互いに同じ光路長差を有する。ここで、偏光ビームスプリッタ膜２３１としては、多層膜を使ったものでもよく、ワイヤグリッド偏光子を用いたものでもよいが、広範囲な入射角および入射波長に対して、安定した性能を持つワイヤグリッド偏光子を用いることが望ましい。
【００２４】
また、実施例５において光学系を小さく構成するために、画角中央の光線との、偏光ビームスプリッタ膜及びミラー面のなす角度αを４５度より大きく設定している。図１１（ａ）は、偏光ビームスプリッタ膜で反射又は透過した光が入射するミラー面のなす角度αを５２度に設定した場合である。同様に、図１１（ｂ）は角度αを４５度に設定した場合である。図１１（ｂ）における角度αを４５度にした場合では、図１１（ａ）における角度αを５２度とした場合と比較して、撮像レンズ２０４の画角端の光線が図中の左右方向へ大きく飛び出している。大きく飛び出した光線をカバーするため、プリズムの大きさが大きくなっている。つまり、画角中央の光線との、偏光ビームスプリッタ膜及びミラー面のなす角度αを４５度より大きく設定することで、プリズムの大きさを小さくすることができる。角度αの上限値は９０度となる。ただし、角度αの上限値が９０度である場合には逆に角度αが４５度の場合よりプリズムの大きさが大きくなるので、最適値はレンズの画角に依存する。更に、図１１（ａ）に示すように光学絞り２３５をプリズム側寄りに配置していることに対して、図１２に示すように光学絞り２３５を撮像レンズ２０４の内部に配置している。図１２の光学絞り２３５の配置では、プリズムに対して既に画角に応じて光線が広がりを持つことになり、プリズムの大きさが図１１（ａ）の光学絞り２３５の配置の場合のプリズムより大きくなっている。撮像レンズの光学絞りの位置は、撮像レンズよりプリズム側寄りの前方にある前絞りの位置であることが望ましい。なお、撮像レンズの絞りの位置はプリズム内部にあっても良く、その場合には例えば、偏光ビームスプリッタ表面に円形の絞りを形成すればよい。その場合にはより、プリズムを小型化することができる。
【００２５】
また、偏光ビームスプリッタ膜２３１は実際にはＰ偏光が反射モードにおいても、Ｓ偏光も若干反射するなど、完全な動作をするわけではない。そのため、左右からの光にクロストークを生ずる場合がある。その場合には図１３に示すように、被写体から偏光ビームスプリッタ膜２３１までの光路の中に左右に偏光方向が互いに直交する偏光子２４１、２４１をそれぞれ設けることでこのクロストークを低減することができる。
【００２６】
また、以上の構成では、左右からの光において、偏光が異なるため、被写体からの光に偏光特性があった場合には、視差のほかに偏光特性の差までが左右の光の差として取得されることになる。このことは、被写体からの光の偏光特性まで取得できるという点では利点があるが、距離を測る視差演算に関しては誤差を発生させる要因ともなる。そのため、以下の構成を取ることで、左右で被写体からの同じ方向の偏光の光を得ることができ、測距精度を向上させることができる。
【００２７】
図１４は本発明のステレオカメラの実施例６の構成を示す概略図である。同図において、被写体から偏光ビームスプリッタ膜２３１までの間に、被写体からの一方の光の偏光方向を被写体からの他方の光の偏光方向が互いに一致する角度で１／２波長板２４２をひとつ設ける。このため、被写体からの左右の光として同じ偏光方向の光を得ることができる。なお、図中の偏光子２４１、２４１はクロストークの低減のために入れているだけで、なくても良い。
【００２８】
図１５は本発明のステレオカメラの実施例７の構成を示す概略図である。同図において、図１４のような１／２波長板２４２の構成では被写体からのある偏光方向の光を撮像することになるが、１／２波長板２４２の代わりに、被写体から偏光ビームスプリッタ膜２３１までの間に、二つの１／４波長板２４３、２４３を左右にそれぞれ設ける。このため、左右とも円偏光を撮像していることとなり、偏光方向に依存しない光を撮像することになる。なお、図中の偏光子２４１、２４１はクロストークの低減のために入れているだけで、なくても良い。
【００２９】
図１６は本発明のステレオカメラの実施例８の構成を示す概略図である。同図において、プリズム２０８、２０９の一部（ハッチングで示す部分）の材料を替え、ポリカーボネートなど光弾性係数が大きくランダムに複屈折があるような材料にする。これにより、入射してくる光の偏光をランダムにし、左右とも偏光方向に依存しない光を撮像することができる。
【００３０】
なお、上記実施例６〜８の構成は、実施例５の構成に限定されるものではなく、他の実施例の構成でも、１／２波長板、１／４波長板、又は光弾性係数が大きくランダムに複屈折があるような材料を用いることで実施可能である。
【００３１】
図１７は本発明のステレオカメラの実施例９の構成を示す概略図である。同図において、実施例５との違いは、偏光ビームスプリッタ膜２３１に替えて、ハーフミラー２４４を用い、被写体からハーフミラー２４４までの光路の中に左右に偏光方向が互いに直交する偏光子２４１、２４１をそれぞれ設けている点である。本実施例の構成では、撮像素子に受光する光量が実施例１〜８に比して半分になってしまうが、高価な偏光ビームスプリッタ膜が必要ないため、安価に構成することができる。
【００３２】
図１８は本発明のステレオカメラの実施例１０の構成を示す概略図である。偏光ビームスプリッタ膜は光の長い波長域では特性が悪化する傾向がある。そのため、本実施例では、上記実施例９の構成に加えて、撮像素子と撮像レンズとの間に、赤外線カットフィルタ２４５を設け、光Ｌ、光Ｒ間で生じるクロストークを低減することができる。なお、赤外線カットフィルタ２４５の設置位置は、図１８に示す位置に限らず、被写体から撮像素子までの間であればよい。また、偏光ビームスプリッタ膜に伴う光Ｌと光Ｒの透過光量を調整するために、光Ｌと光Ｒの光路のいずれかに減光フィルタを設けてもよい。
【００３３】
次に、アライメントマークを用いて左右からの光の位置を一致させる実施例について説明する。
この構成ではレンズに入射する光線を一致させるために利用するマーカーとして、図１９に示すように光路上のクロスプリズム２０５やプリズム２０８、２０９に何等かのアライメントマーカー２４０を入れておくと良い。このアライメントマーカー２４０は例えば何らかのシールのようなものでも良いし、色を塗っても良いが、センサ上に結像していた方が望ましいため、曲率を持ったマーカーとすることが望ましい。このアライメントマーカー２４０を用いることで、製造時のキャリブレーションが容易になるほかに、使用中何らかの環境変化や衝撃などにより左右の位置関係がずれた場合に検出を行い、誤ってブレーキをかけるなどの重大アクシデントを防止することができる。
【００３４】
次に、本実施形態のステレオカメラに用いている偏光選択型のクロスプリズムの構成について説明する。
図２０は偏光選択型のクロスプリズムの構成の一例を示す概略斜視図である。図２１は偏光選択型のクロスプリズムの構成を示す概略平面図である。図２０に示すように、クロスプリズム１０は、三角柱プリズム１、２、３、４の頂角１４、２４、３４、４４どうしを突き合せて配置し、対向する三角柱プリズム１、２、３、４どうしを貼り合わせて接着固定されている。そして、対向する三角柱プリズム１、２、３、４の間には、上述したワイヤグリッド構造の偏光板がそれぞれ挟まれている。このように三角柱プリズムを設けることによって偏光板の平板収差を少なくすることができる。
【００３５】
そして、図２１に示すように、クロスプリズム１０の平面形状は、略正方形になっている。このクロスプリズム１０は、ガラスなどから成る略直角二等辺三角柱の四個の三角柱プリズム１、２、３、４、４つのワイヤグリッド構造の偏光板５、６、７、８、および接着層９を備えている。四個の三角柱プリズム１、２、３、４どうしが対向して隔てて形成される間隙に、接着剤からなる接着層９及び偏光板５、６、７、８がそれぞれ形成されている。
【００３６】
三角柱プリズム１は、三つの側面１１、１２、１３と、側面１２、１３が略直角に交わる頂角１４を有し、略直角二等辺三角柱に形成されている。三角柱プリズム２は、三つの側面２１、２２、２３と、側面２２、２３が略直角に交わる頂角２４を有し、略直角二等辺三角柱に形成されている。三角柱プリズム３は、三つの側面３１、３２、３３と、側面３２、３３が略直角に交わる頂角３４を有し、略直角二等辺三角柱に形成されている。三角柱プリズム４は、三つの側面４１、４２、４３と、側面４２、４３が略直角に交わる頂角４４を有し、略直角二等辺三角柱に形成されている。そして、三角柱プリズム１、２、３、４は、頂角１４、２４、３４、４４どうしを突き合せて配置されている。
【００３７】
偏光板５は、平面基板５１と、偏光子層５２と、図示しない充填層とを有している。平面基板５１上に偏光子層５２が形成され、さらに偏光子層５２は図示しない充填層によって覆われたものである。そして、図中の±Ｘ方向から進行してくる光に対して、Ｙ方向に偏光方向を有する光は反射し、Ｚ方向に偏光方向を有する光は透過する。偏光板６は、平面基板６１と、偏光子層６２と、図示しない充填層とを有している。平面基板６１上に偏光子層６２が形成され、さらに偏光子層６２は図示しない充填層によって覆われたものである。そして、図中の±Ｘ方向から進行してくる光に対して、Ｙ方向に偏光方向を有する光は透過し、Ｚ方向に偏光方向を有する光は反射する。偏光板７は、平面基板７１と、偏光子層７２と、図示しない充填層とを有している。平面基板７１上に偏光子層７２が形成され、さらに偏光子層７２は図示しない充填層によって覆われたものである。そして、図中の±Ｘ方向から進行してくる光に対して、Ｙ方向に偏光方向を有する光は反射し、Ｚ方向に偏光方向を有する光は透過する。偏光板８は、平面基板８１と、偏光子層８２と、図示しない充填層とを有している。平面基板８１上に偏光子層８２が形成され、さらに偏光子層８２は図示しない充填層によって覆われたものである。そして、図中の±Ｘ方向から進行してくる光に対して、Ｙ方向に偏光方向を有する光は透過し、Ｚ方向に偏光方向を有する光は反射する。
【００３８】
また、偏光板５は、平面基板５１に対して偏光子層５２側を三角柱プリズム２の側面２３側に向けて配置する。図示しない充填層面と側面２３面間は接着剤で接合される。偏光板６は、平面基板６１に対して偏光子層６２側を三角柱プリズム２の側面２２側に向けて配置する。図示しない充填層面と側面２２面間は接着剤で接合される。偏光板７は、平面基板７１に対して偏光子層７２側を三角柱プリズム４の側面４３側に向けて配置する。図示しない充填層面と側面４３面間は接着剤で接合される。偏光板８は、平面基板８１に対して偏光子層８２側を三角柱プリズム４の側面４２側に向けて配置する。図示しない充填層面と側面４２面との間は接着剤で接合される。
【００３９】
そして、平面基板５１と三角柱プリズム１の側面１２との間は接着剤で接合される。平面基板６１と三角柱プリズム３の側面３３との間は接着剤で接合される。平面基板７１と三角柱プリズム３の側面３２との間は接着剤で接合される。平面基板８１と三角柱プリズム１の側面１３との間は接着剤で接合される。
【００４０】
接着層９は、三角柱プリズム１、２、３、４、偏光板５、６、７、８どうしが隔てる間隙に形成されている。そして、接着層９は、接着剤の硬化処理を一括して行うことにより形成され、四個の三角柱プリズムと、４枚の偏光板を接着固定している。この接着剤としては、透光性、ガラス接着性、精密性が良好な接着剤、例えば紫外線硬化型接着剤などが用いられる。
【００４１】
次に、図２２及び図２３を用いて、クロスプリズムに入射する光の光路について説明する。
図２２に示すように、三角柱プリズム４の側面４１から入射した光の光路Ｉ１、Ｉ２は、偏光方向に応じて光路が＋Ｙ方向、−Ｙ方向それぞれに分岐される。三角柱プリズム４の側面４１に入射する光の光路Ｉ１では、Ｙ軸方向の偏光方向のＰ偏光成分の光は偏光板７の偏光子層７２で反射され、偏光板８の偏光子層８２で透過して−Ｙ方向に進む。一方、三角柱プリズム４の側面４１に入射する光の光路Ｉ１では、Ｚ軸方向の偏光方向のＳ偏光成分の光は、偏光板７の偏光子層７２を透過し、偏光板６の偏光子層６２で反射され＋Ｙ方向に進む。三角柱プリズム４の側面４１に入射する光路Ｉ２では、Ｓ偏光成分の光は偏光板８の偏光子層８２で反射され、偏光板７の偏光子層７２を透過して＋Ｙ方向に進む。一方、三角柱プリズム４の側面４１に入射する光路Ｉ２ではＰ偏光成分の光は偏光板８の偏光子層８２を透過し、偏光板５の偏光子層５２で反射され−Ｙ方向に進む。
【００４２】
図２３に示すように、三角柱プリズム２の側面２１から入射した光の光路Ｉ３、Ｉ４は、偏光方向に応じて光路が＋Ｙ方向、−Ｙ方向それぞれに分岐される。三角柱プリズム２の側面２１に入射する光路Ｉ３では、Ｓ偏光成分の光は偏光板６の偏光子層６２で反射され、−Ｙ方向に進む。一方、三角柱プリズム２の側面２１に入射する光路Ｉ３では、Ｐ偏光成分の光は偏光板６の偏光子層６２を透過し、偏光板７の偏光子層７２で反射され＋Ｙ方向に進む。三角柱プリズム２の側面２１に入射する光路Ｉ４では、Ｐ偏光成分の光は偏光板５の偏光子層５２で反射され、偏光板６の偏光子層６２を透過して＋Ｙ方向に進む。一方、三角柱プリズム２の側面２１に入射する光路Ｉ４では、Ｓ偏光成分の光は偏光板５の偏光子層５２を透過し、偏光板８の偏光子層８２で反射され−Ｙ方向に進む。
【００４３】
ここで、偏光板５、６、７、８としては、特定の偏光方向の偏光成分の光を透過し、それとは偏光方向が直交する偏光成分の光を反射する偏光板であればよい。この例では平面基板５１、６１、７１、８１上に、それぞれ偏光子層５２、６２、７２、８２を形成した偏光板を用いる。偏光子としてはワイヤグリッド構造などを用いればよい。偏光板５、６、７、８の平面基板５１、６１、７１、８１の材料としては、使用帯域（例えば、可視光域と赤外域）の光を透過可能な透明な材料、例えばガラス、サファイア、水晶等を用いることができる。この例では、ガラス、特に安価で、かつ耐久性もある石英ガラス（屈折率１．４６）やテンパックスガラス（屈折率１．５１）を用いると好適である。また、ガラスに限定されるものでなくプラスチックを用いてもよい。フィルム状のプラスチックを用いればプリズム間のギャップを狭くできるため、より望ましい。
【００４４】
次に、偏光子層について説明する。
偏光板５、６、７、８の偏光子層５２、６２、７２、８２はそれぞれ、図２４に示すような、ワイヤグリッド構造で形成された偏光子膜を有し、その面は凹凸面である。ワイヤグリッド構造は、アルミニウム等の金属で構成された特定方向に延びる金属ワイヤー（導電体線）を特定のピッチで配列した構造になっている。図２４に示す偏光子膜に溝方向の偏光方向の光が入射したとき、その光は反射され、図２４に示す偏光膜に溝と直交する方向の偏光方向の光が入射したとき、その光は透過される。ワイヤグリッド構造のワイヤーのピッチ幅を、入射光の波長帯（例えば、可視光の波長域４００［ｎｍ］から８００［ｎｍ］）に比べて十分に小さいピッチ（例えば１／２以下）とすることにより、以下の効果を奏する。すなわち、金属ワイヤーの長手方向に対して平行に振動する電場ベクトル成分の光をほとんど反射し、金属ワイヤーの長手方向に対して直交する方向に振動する電場ベクトル成分の光をほとんど透過させるため、単一偏光を作り出す偏光子層として使用できる。ワイヤグリッド構造の偏光子層は、一般に、金属ワイヤーの断面積が増加すると、消光比が増加し、更に金属ワイヤーのピッチ幅が所定の幅以上であると透過率が減少する。また、金属ワイヤーの長手方向に直交する断面形状がテーパー形状であると、広い帯域において透過率、偏光度の波長分散性が少なく、高消光比特性を示す。
【００４５】
そして、偏光子層をワイヤグリッド構造で形成することにより、以下の効果を有する。すなわち、ワイヤグリッド構造は、広く知られた半導体製造プロセスを利用して形成できる。具体的には、平面基板上にアルミニウム薄膜を蒸着した後、パターニングを行い、メタルエッチング等の手法によってワイヤグリッドのサブ波長凹凸構造を形成すればよい。また、ワイヤグリッド構造は、アルミニウム、チタン等の金属材料によって作製されるため、耐熱性に優れ、高温になりやすい環境下においても好適に使用できるという利点もある。ワイヤグリッド構造はサブミクロンオーダの構造物であるため組付などのハンドリングを想定すると保護しておくことが望ましい。
【００４６】
また、本例のように別部材（プリズムなど）へ密着接合する場合は、平行に配置されることが望ましく、平坦化層として充填材が形成されていることが望ましい。充填材は、偏光子層の金属ワイヤー間の凹部に充填される。充填材は、平面基板よりも屈折率が低いか又は同等の屈折率を有する無機材料が好適に利用できる。充填材は、偏光子層の金属ワイヤー部分の積層方向上面も覆うように形成されている。充填材の材料には、偏光子層の凹凸面を平坦化でき、かつ、偏光子層の機能を妨げない材料を用いる必要があるため、偏光機能を有しない材料を用いることが好ましい。また、充填材の材料には、その屈折率が空気の屈折率（屈折率＝１）に極力近い低屈折率材料を用いることが好ましい。充填材の具体的な材料としては、例えばセラミックス中に微細な空孔を分散させて形成してなる多孔質のセラミックス材料が好ましい。より詳しくは、ポーラスシリカ（ＳｉＯ２）、ポーラスフッ化マグネシウム（ＭｇＦ）、ポーラスアルミナ（Ａｌ２Ｏ３）等を挙げることができる。
【００４７】
更に、これらの低屈折率の程度は、セラミックス中の空孔の数や大きさ（ポーラス度）によって決まる。平面基板の主成分が水晶やガラスからなる場合には、ポーラスシリカ（ｎ＝１．２２〜１．２６）が好適に使用できる。充填材の形成方法としては、これに限られるものではないが、例えば、ＳＯＧ（Spin On Glass）法を好適に用いることができる。具体的には、シラノール（Ｓｉ（ＯＨ）４）をアルコールに溶かした溶剤を、平面基板上に形成された偏光子層上にスピン塗布し、その後に熱処理によって溶媒成分を揮発させ、シラノール自体を脱水重合反応させることで形成できる。偏光子層はサブ波長サイズのワイヤグリッド構造であり、機械的強度が弱く、わずかな外力によって金属ワイヤーが損傷してしまう。本例の偏光板は、三角柱プリズムに密着配置することが望まれるため、その製造段階において偏光板と三角柱プリズムとが接触する可能性がある。
【００４８】
本例では、偏光子層の積層方向上面が充填材によって覆われているので、三角柱プリズムと接触した際にワイヤグリッド構造が損傷する事態を抑制できる。また、本例のように充填材を偏光子層のワイヤグリッド構造における金属ワイヤー間の凹部へ充填することで、その凹部への異物進入を防止できる。
【００４９】
次に、偏光選択型のクロスプリズムの作製工程について説明する。図２５〜図２７はそれぞれクロスプリズムの製造工程の一例を示す模式工程図である。図２５は三角柱プリズム形成工程を示し、図２８は偏光板の配置工程を示している。図２９は三角柱プリズムの配置工程を示している。図２５に示すように、三角柱プリズムの製造工程において、先ず三角柱プリズム１、２、３、４を製造する。例えば、三つの側面１１、１２、１３のうち二つの側面１２、１３が略直角に交わるように形成され、略直角二等辺三角柱の三角柱プリズム１を製造する。同様にして、三角柱プリズム２、３、４が製造される。また、前述のとおり、偏光板５、６、７、８が製造される。そして、図２６に示すように、配置工程において、例えば偏光板５、６、７、８の偏光子層５２、６２、７２、８２側の面に接着剤９９１、９９２、９９３、９９４を塗布して配置される。そして、偏光板５、６は三角柱プリズム２の側面２２、２３に、偏光板７、８は三角柱プリズム４の側面４２、４３にそれぞれは位置される。なお、この接着剤９９１、９９２、９９３、９９４としてはそれぞれ、透光性、ガラス接着性、精密性が良好な接着剤、例えば紫外線硬化型接着剤などが用いられる。
【００５０】
次に、図２７に示すように、位置決め工程において、頂角１４、２４、３４、４４どうしを突き合わせて配置して、三角柱プリズム１、２、３、４どうしの位置を決める。三角柱プリズム１、３の側面に接着剤９９５〜９９８が塗布されている。
【００５１】
次に、硬化処理工程において、例えば紫外線照射を行い、接着剤９９１〜９９８の硬化処理を一括して行うことにより、同一の硬化処理条件で接着層を形成し、三角柱プリズム１、２、３、４及び偏光板５、６、７、８どうしを接着固定する。これにより、図２０に示す角柱状のクロスプリズムを形成することができる。なお、接着硬化させるまえの三角柱プリズム、偏光板としてはＺ軸方向に伸びた長尺状のものを用いていれば、配置ならびに接着硬化の工程が一回で済み、その後、切断工程だけをもうけてやればよい。
【００５２】
次に、クロスプリズムの変形例１について説明する。
クロスプリズムは上述の構成に限定されるものでなく、図２８のような変形例１の構成であってもよい。図２０及び図２１のクロスプリズムの構成との違いは三角柱プリズム３を除いたことである。三角柱プリズム１と三角柱プリズム２からなる光路及び、三角柱プリズム１と三角柱プリズム４とからなる光路のみを光学系として使用して、三角柱プリズム３を経由する光路を使用しない場合は三角柱プリズム３を除いても構わない。
【００５３】
次に、クロスプリズムの変形例２について説明する。
図２９はクロスプリズムの変形例２の構成を示す概略平面図である。変形例２のクロスプリズムは、クロスプリズム１０の三角柱プリズム２の側面２１と、クロスプリズム１０の三角柱プリズム４の側面４１に接着剤９９からなる接着層９を介して、それぞれ三角柱プリズム３１１と三角柱プリズム３１２を接合してなる。三角柱プリズム３１１は、三つの側面３２１、３２２、３２３と、側面３２１、３２２が略直角に交わる頂角３２４を有し、略直角二等辺三角柱に形成されている。三角柱プリズム３１２は、三つの側面３３１、３３２、３３３と、側面３３１、３３３が略直角に交わる頂角３３４を有し、略直角二等辺三角柱に形成されている。
【００５４】
次に、図３０及び図３１を用いて、変形例２のクロスプリズムに入射する光の光路について説明する。
図３０に示すように、三角柱プリズム３１２の側面３３３に入射した光の光路Ｉ１、Ｉ２は偏光方向に応じて光路が＋Ｙ方向、−Ｙ方向それぞれに分岐される。三角柱プリズム３１２の側面３３３に入射する光の光路Ｉ１では、Ｐ偏光成分の光は反射面３３２で反射され、光路が９０度変更され、偏光板７の偏光子層７２で反射され、−Ｙ方向に進む。一方、三角柱プリズム３１２の側面３３３に入射する光の光路Ｉ１では、Ｓ偏光成分の光は反射面３３２で反射され、光路が９０度変更され、偏光板７の偏光子層７２を透過し、偏光板６の偏光子層６２で反射され＋Ｙ方向に進む。三角柱プリズム３１２の側面３３３に入射する光の光路Ｉ２では、Ｓ偏光成分の光は反射面３３２で反射され、光路が９０度変更され、偏光板８の偏光子層８２で反射され、＋Ｙ方向に進む。一方、三角柱プリズム３１２の側面３３３に入射する光の光路Ｉ２では、Ｐ偏光成分の光は反射面３３２で反射され、光路が９０度変更され、偏光板８の偏光子層８２を透過し、偏光板５の偏光子層５２で反射され−Ｙ方向に進む。
【００５５】
図３１に示すように、三角柱プリズム３１１の側面３２３に入射した光の光路Ｉ３、Ｉ４は偏光方向に応じて光路が＋Ｙ方向、−Ｙ方向それぞれに分岐される。三角柱プリズム３１１の側面３２３に入射する光の光路Ｉ３では、Ｓ偏光成分の光は反射面３２２で反射され、光路が９０度変更され、偏光板６の偏光子層６２で反射され、−Ｙ方向に進む。一方、三角柱プリズム３１１の側面３２３に入射する光の光路Ｉ３では、Ｐ偏光成分の光は反射面３２２で反射され、光路が９０度変更され、偏光板６の偏光子層６２を透過し、偏光板７の偏光子層７２で反射され＋Ｙ方向に進む。三角柱プリズム３１１の側面３２３に入射する光の光路Ｉ４では、Ｐ偏光成分の光は反射面３２２で反射され、光路が９０度変更され、偏光板５の偏光子層５２で反射され、＋Ｙ方向に進む。一方、三角柱プリズム３１１の側面３２３に入射する光の光路Ｉ４では、Ｓ偏光成分の光は反射面３２２で反射され、光路が９０度変更され、偏光板５の偏光子層５２を透過し、偏光板８の偏光子層８２で反射され−Ｙ方向に進む。
【００５６】
次に、クロスプリズムの変形例３について説明する。
クロスプリズムは上述の構成に限定されるものでなく、図３２の変形例３のような構成であってもよい。図３０のクロスプリズムの構成との違いは、三角柱プリズム３１２を接合するのではなく、三角柱プリズム４に三角柱プリズム３１２の機能を融合させた４辺プリズムを用いる点である。また、三角柱プリズム３１１を接合するのではなく、三角柱プリズム２に三角柱プリズム３１１の機能を融合させた４辺プリズムを用いた点である。４辺プリズム４１０の側面４１５と、４辺プリズム４２０の側面４２５は、三角柱プリズム１の側面１１と平行となるように形成されてなる。接合する工程が省けるとともに、接合によるズレが抑制できるため、光路としての変化が抑制できる。結果、低コスト化が図れる。
【００５７】
次に、クロスプリズムの変形例４について説明する。クロスプリズムは上述の構成に限定されるものでなく、図３３（ａ）のような変形例４の構成であってもよい。図２５のクロスプリズムの構成との違いは、４辺プリズム４１０の側面４１５と、４辺プリズム４２０の側面４２５は、三角柱プリズム１の側面１１と平行とならない構成であってもよい。このような構成とすることにより、側面４１５と側面４２５に入射する光の光路の各種角度に対応することができる。図３３（ｂ）及び図３３（ｃ）に変形例４のクロスプリズムに入射する光の光路が示されている。
【００５８】
ここで、クロスプリズムの構成としては正方形（図３４（ａ））の構成に限定されるものでなく、図３４（ｂ）や図３４（ｃ）のような台形形状であってもよい。このような構成とすることにより、直交方向に光路を偏光するものに限定されず、各種偏光角のクロスプリズムを形成することができる。
【００５９】
次に、偏光分離用ＳＷＳフィルタについて説明する。
図３５は光学フィルタと撮像素子の位置関係の対応を例示する図である。図３６は図３５の断面図である。光学フィルタ４００において、フィルタ基板４０１は、撮像レンズを介して偏光フィルタ層４０２に入射する入射光を透過する透明な基板である。フィルタ基板４０１の撮像素子５００側の面には、偏光フィルタ層４０２が形成されている。偏光フィルタ層４０２を覆うように、更に充填層４０３が形成されている。光学フィルタ４００に入射した光のうち、偏光フィルタ層４０２を透過した光は、撮像素子５００の画素領域に入射する。偏光フィルタ層４０２には撮像素子５００の各画素サイズに対応した偏光子がそれぞれ領域分割形成されている。偏光子としてはＳ偏光成分透過領域とＰ偏光成分透過領域が形成されている。図３６においてはＳ偏光成分透過領域とＰ偏光成分透過領域が短冊状のパタンであってもよい。ここでは撮像素子としてはモノクロのセンサを想定しているが、これに限定されるものでなく、カラーセンサであってもよい。偏光フィルタ層４０２が形成されている領域ではＰ偏光成分、Ｓ偏光成分の各領域の画像が撮像素子５００によって撮像されるが、これらは後述するとおり差分画像を形成することにより視差画像として各種情報検知に使われる。
【００６０】
次に、距離算出手段としての画像処理装置について説明する。
図３７（ａ）及び図３７（ｂ）はそれぞれモノクロセンサにおける距離算出手段としての画像処理装置の構成を示すブロック図である。図３７（ａ）は全体構成、図３７（ｂ）は視差計算処理部の構成を示す。図３８（ａ）及び図３８（ｂ）はそれぞれＲＣＣＣ（Ｒｅｄ／Ｃｌｅａｒ）／カラーセンサにおける距離算出手段としての画像処理装置の構成を示すブロック図である。図３８（ａ）は全体構成、図３８（ｂ）は視差計算処理部の構成を示す。図３７において、イメージセンサからの画像が偏光分離処理部７０１に入力され、偏光分離処理部７０１によって偏光画像１及び偏光画像２に分離される。図３９に示すように偏光分離処理部７０１では、入力画像全体からピクセル単位で、Ｓ偏光成分のピクセルを取り出してＳ画像を形成する。これが偏光画像１である。一方、入力画像全体からＰ偏光成分のピクセルを取り出してＰ画像を形成する。これが偏光画像２である。
【００６１】
なお、実際にはこのまま出力された画像で視差演算を行った場合、Ｓ偏光画像とＰ偏光画像で１ピクセル縦に対応位置がずれているため、エッジなどで誤差が発生する場合がある。そのため、この偏光分離処理部７０１では、間の画素を補間することで、全ピクセルに対して、対応するＳ画素とＰ画素を有する画像を出力することが望ましい。例えば、図３９中のＰ画素に対応するＳ画素が欠陥している部分がある場合、その部分のＳ画素の値としては（Ｓ１＋Ｓ２）／２を割り当てるという方法がある。同様に、Ｐ画素に関しても上下の対応するＰ画素を用いて補間を行うことが可能である。結果出力画像としては、全ピクセルに対して、対応するＳ画素とＰ画素を有する画像を出力することができる。
【００６２】
ここで、図４０に示すクロスプリズムにおけるプリズム間の隙間が原因となって画面中央付近に画像の写らないエリアができる場合がある。そこで、この隙間を埋める処理が必要となる。図４１（ａ）に示すように画面右側の画像を左に寄せて、図４１（ｂ）のように隙間を埋めてしまう。個体差により、画像の写らないエリアがばらつくので、どの部分を埋めるかは個体ごとにパラメータとして持っておくと良い。処理する場所としては、図３７（ａ）及び図３８（ａ）の座標変換手段としての座標変換処理部７０３の後段で行うのが良い。なぜなら、座標変換処理部７０３の前段で行うと、座標変換で非連続点が必要となってしまうため、実装が困難となるからである。
【００６３】
次に、図３８（ａ）の座標変換処理部７０６による色画像と輝度画像の算出処理について説明する。
カラーフィルタがある撮像素子と、Ｓ偏光／Ｐ偏光の偏光フィルタを使う場合であれば、Ｐ偏光の画素のみを取り出し、その画素の単純平均や人間の見た目の輝度に変換するため以下の式の重みづけ平均を演算することで、輝度値を算出する。カラーフィルタは図４２（ａ）に示す配列、偏光フィルタは図４２（ｂ）に示す配列となっている場合、輝度は以下の式で求められる。
【００６４】
もっとも簡単には以下の単純和が用いられる。
Ｙ＝Ｒ１１＋Ｇ２１＋Ｂ２２
または、より輝度値を人間の見た目の輝度と合わせる場合には以下の式が用いられる。
Ｙ＝０．２９９＊Ｒ１１＋０．５８７＊Ｇ２１＋０．１１４＊Ｂ２２
（Ｙは輝度信号）
【００６５】
また、ＲＧＢカラーでは、ＲＧＢの画素値より、以下の式により、色差信号を作ることができる。
Ｃｒ＝０.５００＊Ｒ１１−０.４１９＊Ｇ２１−０.０８１＊Ｂ２２
Ｃｂ＝−０.１６９＊Ｒ１１−０.３３２＊Ｇ２１＋０.５００＊Ｂ２２
（ＣｒとＣｂは色差信号）
【００６６】
次に、図３７（ａ）のクロストークキャンセル処理部７０２によるクロストークキャンセルについて説明する。理想的には、Ｓ偏光とＰ偏光として左右の画像がセンサ上に結像され、センサ上の偏光フィルタにより左右の画像が完全に分離される。しかし、実際には、クロスプリズムの偏光子の特性上、Ｓ偏光のみ反射すべき場合にも、Ｓ偏光だけではなく、Ｐ偏光も一部反射したり、その逆が起こる。また、センサ上に実装されているワイヤグリッド構造の偏光子もセンサのピクセル上にきれいに乗っているわけでなく、実際にはセンサのピクセル位置と偏光子の位置に微妙にずれが発生する。そのため、右画像に微弱な左画像が、また左画像に微弱な右画像が重畳される。これを以下ではクロストークと呼ぶ。得られた右画像や左画像に以下の式を演算することにより、このクロストークをキャンセルすることができる。
S=Sin-cc*Pin ・・・（１）
P=Pin-cc*Sin ・・・（２）
Scrosstalkcancel=S*(1+cc)/(1-cc^2)  ・・・（３）
Pcrosstalkcancel=P*(1+cc)/(1-cc^2)  ・・・（４）
但し、上記（１）から（４）の式において、cc : クロストーク除去係数、Sin,Pin : 入力信号、Scrosstalkcancel, Pcrosstalkcancel : クロストークが除去されたＳ，Ｐ成分信号である。
クロストーク量は画面上の場所により異なる場合があるため、画面上の場所に応じてｃｃの量のテーブルを持っていることが望ましい。
上記の式の根拠を以下に解説する。
各画素には、クロストークにより以下のような信号が入ってくる。
Sin=(1-c)*Sori+c*Pori ・・・（５）
Pin=(1-c)*Pori+c*Sori ・・・（６）
但し、上記（５）及び（６）の式において、c:クロストーク量、Sori,Pori:クロストークがない真の入力信号である。（５）式を（１）式に代入すると、
S=(1-c)*Sori+c*Pori-cc*Pin ・・・（７）
さらに、（６）式を（７）式に代入すると、
S=(1-c)*Sori+c*Pori-cc*((1-c)*Pori+c*Sori)
=(1-c)*Sori+c*Pori-cc*Pori+cc*c*Pori-cc*c*Sori
=(1-c-cc*c)*Sori+(c-cc+cc*c)*Pori
ここで、c=cc/(1+cc)とすると、
S=(1-cc/(1+cc)-cc^2/(1+cc))*Sori
=(1-cc^2)/(1+cc)*Sori
逆に、Soriを解くと、（３）の式と同じ、  Sori=S*(1+cc)/(1-cc^2)が得られる。
【００６７】
次に、図３７（ａ）及び図３８（ａ）の座標変換処理部７０３による座標変換処理について説明する。
高い測距性能を出すためには、レンズの歪みを補正する処理が必要であり、そのレンズの歪みを補正するのが座標変換処理である。歪み補正量のパラメータはレンズの設計値でも良いし、一台一台パラメータのキャリブレーションを行っても良い。また、レンズ前面に配置する合波用のプリズム自体も製造誤差があるので、これを補正するために座標変換処理中で一般のステレオカメラで行われる外部パラメータの補正を同時に行うことが望ましい。
【００６８】
はじめに、座標変換処理の具体例である倍率色収差補正と歪曲収差補正の原理を説明する。モノクロセンサの場合には、歪曲収差補正のみを行い、カラーセンサの場合には、加えて倍率色収差補正も行うことが望ましい。図４３に模式的に示すように、倍率色収差と歪曲収差のある光学系を用いて撮影を行った場合、画面右上の１で示す、本来の位置としての位置（ピクセル）に位置する画素データは、この本来の位置から歪曲収差によりずれる。さらに、倍率色収差によって画素データのＲＧＢ各色成分（Ｒ色成分、Ｇ色成分、Ｂ色成分のそれぞれ）でそれぞれ異なるずれをし、撮像素子で実際に撮像される位置は、図４４に示すように、ＲＧＢ各色成分は、それぞれ２（Ｒ），３（Ｇ），４（Ｂ）の位置となる。倍率色収差と歪曲収差の補正は、図４５（ａ）及び図４５（ｂ）に示すように、２（Ｒ），３（Ｇ），４（Ｂ）の位置（ピクセル）のＲＧＢ各色成分画素データを本来の位置である１の位置（ピクセル）にコピーする。すなわち、座標変換することで可能である。ここで、２、３、４の各位置が座標変換元の座標、１の位置が座標変換先の座標となる。光学系の設計データより、歪曲収差の大きさ、倍率色収差の大きさがわかるため、本来の位置に対して、ＲＧＢ各色成分がどの位置にずれるかを計算することができる。そして、その位置座標データを基に、多項式やテーブルを準備しておき、それらの情報を基に入力画像の歪み（歪曲収差）や倍率色収差を補正するのが座標変換処理である。
【００６９】
次に、図３７（ａ）及び図３８（ａ）の視差計算処理部７０４による視差計算処理について説明する。
ブロックマッチング処理について、以下のように様々な方法があるが、本発明の方式では左右の画像に対象物の反射光自体の偏光比に基づく輝度差が発生するため、ブロック内で正規化を行う方法が望ましい。これにより、その反射光自体の偏光比に基づく輝度差の分をキャンセルし、模様だけを視差計算に用いることが可能である。具体的には以下の方法の内、頭にＺの付く、ＺＳＡＤ,ＺＳＳＤ,ＺＮＣＣなどの手法を用いることが望ましい。
【００７０】
（１）ＳＡＤ(Sum of Absolute Difference)
ＳＡＤは、輝度値をそのまま減算することにより、画像間のマッチングを行う手法である。このＳＡＤは計算量が少なくて済む。
【数１】
2014199241.tif 000003
【００７１】
（２）ＳＳＤ(Sum of Squared Difference)
ＳＳＤは、ＳＡＤと同じように、輝度値をそのまま減算することにより、画像間のマッチングを行う手法である。ただし、ＳＡＤと異なり二乗を誤差量とする。
【数２】
2014199241.tif 000004
【００７２】
（３）ＺＳＡＤ(Zero mean Sum of Absolute Difference)
ＳＡＤの式から各ブロックの平均値を引いたものである。
【数３】
2014199241.tif 000005
【００７３】
（４）ＺＳＳＤ(Zero mean Sum of Squared Difference)
ＳＳＤの式から各ブロックの平均値を引いたものである。
【数４】
2014199241.tif 000006
NCC(Normalized Cross Correlation) 
正規化相互相関で、明るさやコントラストに影響されにくいという特徴を持つ。
【数５】
2014199241.tif 000007
【００７４】
（５）ＺＮＣＣ(Zero mean Normalized Cross Correlation)
ＮＣＣから各ブロックの平均値を引いたものである。
【数６】
2014199241.tif 000008
【００７５】
次に、図３７（ｂ）及び図３８（ｂ）のサブピクセル推定処理部７０４−２によるサブピクセル推定処理について説明する。
高精度な視差演算を行うために、図４６（ａ）及び図４６（ｂ）に示す等角直線フィッティング及びパラボラフィッティングによって、１ピクセル以下のマッチングを行うサブピクセル推定処理を行う。
【００７６】
等角直線フィッティングでは、サブピクセル推定値が次のように推定できる。
【数７】
2014199241.tif 000009
【００７７】
パラボラフィッティングでは、サブピクセル推定値が次のように推定できる。
【数８】
2014199241.tif 000010
【００７８】
次に、偏光算出処理について説明する。
マッチングした領域の差分を取り出す方法としては、視差計算によりブロックマッチングした後に、マッチしたブロック同士でＳ偏光成分とＰ偏光成分の比（差）を計算する。この方法ではマッチングがうまくいっている場合には、良好な結果が得られるが、Ｓ偏光成分とＰ偏光成分が大きくずれているところだと、そもそもマッチングが失敗して取れない虞がある。これに対して、マッチングしなかった部分を取り出す方法としては、視差計算で全くマッチングしなかった画素部分に関してエラーを出力するという方法がある。つまり、視差計算探索範囲を超えているか、Ｐ偏光成分とＳ偏光成分との比が大きくずれている部分が検出される。Ｐ偏光成分とＳ偏光成分の差が大きければ大きいほどマッチングしなかった部分が検出されるため、この方法はブロックマッチングが失敗する場合に有効である。上記の方法により取り出した偏光情報は、路端（路面）検出や、路面上の凍結部分検出に使うことができる。
【００７９】
以上に説明したものは一例であり、本発明は、次の態様毎に特有の効果を奏する。
（態様１）
被写体に対して視差を有する画像を取得するステレオカメラにおいて、直交する方向に偏光方向が異なる視差を有する２つの画像の光路を１つに重ね合わせる偏光合波手段と、少なくとも２つの偏光方向の輝度を検出する撮像手段と、重ね合わさった画像を撮像手段に結像させる光学部材とを有する。これによれば、上記実施形態１について説明したように、視差を有する２つの画像を形成する左右の光の光路が重ね合わされて、重ね合わされた光は光学部材を介して撮像手段に結像している。このため、温度変化により光学部材の歪みが変化した場合、その歪みの影響は、視差を有する２つの画像を形成する光それぞれに同じように及ぶ。温度変化により撮像手段の取付位置がずれた場合、その取付位置ずれによって、視差を有する２つの画像を形成する光が撮像手段の受光面上でそれぞれ同じように変化する。この結果、温度による光学部材の歪みや撮像手段の取付位置変化が、例えば被写体までの距離算出に与える影響は少ない。これにより、温度変化に伴う光学部材の歪みの補正や撮像手段の取付位置ずれに対する補正を含むキャリブレーションを行う必要がなくなる。よって、温度変化に伴うレンズの歪み変化や撮像手段の取付具の取付位置変化に影響されず、かつ安価なステレオカメラを提供できる。
（態様２）
（態様１）において、撮像手段によって撮像した画像から、偏光方向ごとに画像を分離することにより、視差をもった２つの画像を形成し、形成した２つの画像間の視差により被写体までの距離を算出する距離算出手段を有する。これによれば、上記実施形態１について説明したように、温度による光学部材の歪みや撮像手段の取付位置変化が被写体までの距離算出に与える影響は少ない。
（態様３）
（態様１）又は（態様２）において、視差を有する２つの画像を１つの光路に重ね合わせる偏光合波手段を設け、２つの画像の光路における光路長を互いに略同じにする。これによれば、上記実施形態１について説明したように、これによれば、上記実施形態について説明したように、通常のカメラと同じく、単に視差演算の最に横方向のピクセルのみを探索することで視差を得ることができる。
（態様４）
（態様１）において、光学部材は、ズーム機能を有する。これによれば、上記実施形態１について説明したように、これによれば、上記実施形態について説明したように、両眼の画像に全く同じ変化が反映される。これにより、右眼用と左眼用の２つの異なる光学特性を持つことによって生じる光軸や画像サイズ、フォーカスずれを抑制することが可能で自然な立体画像を取得することができる。
（態様５）
（態様１）〜（態様４）のいずれかにおいて、光学部材は車両の車内に設置し、偏光合波手段は車両の車外に設置する。これによれば、上記実施形態について説明したように、車両のフロントガラスの歪みや厚みムラ、曲率などが左右の対応する部分で異なり、左右の画像のマッチングが取れなくなる場合がある。これをキャンセルするためには、車内に撮像素子、またレンズ部のみを設置し、ガラスよりも外側にクロスプリズムを設置すると良い。これにより、左右の画像共に同じフロントガラスの部分を通ることになり、同じようにフロントガラスの影響を受けるため、左右の画像はフロントガラスの具合によらず常にマッチングが可能となる。
（態様６）
（態様１）において、偏光合波手段は、被写体からの画像が最初の反射面から次の反射面までに媒質で充填されている。これによれば、上記実施形態について説明したように、距離が長い被写体に近いミラー面から次のミラー面までが高屈折率の媒質で充填されていることにより小型化が図れる。
（態様７）
（態様１）において、偏光合波手段は、偏光ビームスプリッタ及びミラーを含んで構成されている。これによれば、上記実施形態１について説明したように、簡易な構成で、左右の光路長は略同一とすることができ、通常のカメラと同様に視差を得ることができる。
（態様８）
（態様１）において、偏光合波手段は、ハーフミラー及び偏光子を含んで構成されている。これによれば、上記実施形態について説明したように、簡易な構成で、左右の光路長は略同一とすることができ、通常のカメラと同様に視差を得ることができる。
（態様９）
（態様７）において、偏光合波手段は、偏光子を含んで構成されている。これによれば、上記実施形態について説明したように、クロストークを低減することができる。
（態様１０）
（態様７）〜（態様９）のいずれかにおいて、偏光合波手段は、２つの画像のいずれかの画像に対して偏光する１／２波長板を含んで構成されている。これによれば、上記実施形態について説明したように、左右の被写体からの同じ偏光方向の画像を得ることができる。
（態様１１）
（態様７）〜（態様９）のいずれかにおいて、偏光合波手段は、２つの画像のそれぞれに対して偏光する１／４波長板を含んで構成されている。これによれば、上記実施形態について説明したように、両眼とも円偏光を撮影していることとなり、偏光方向に依存しない画像を撮影することになる。
（態様１２）
（態様７）〜（態様９）のいずれかにおいて、偏光合波手段は、偏光状態をランダムに変化させる媒質を含んで構成されている。これによれば、上記実施形態について説明したように、入射してくる光の偏光をランダムにし、両眼とも偏光方向に依存しない画像を撮影することができる。
（態様１３）
（態様７）において、偏光ビームスプリッタの光学面又はミラーの反射面が光学部材の画角中央の光線とのなす角度が４５度より大きく設定されるように、偏光ビームスプリッタ又はミラーを設置している。これによれば、上記実施形態１について説明したように、偏光ビームスプリッタ膜２３１又はミラー面２３２、２３３、２３４が設置されているプリズムの大きさを小さくすることができる。
（態様１４）
（態様８）において、ハーフミラーの光学面又は偏光子の反射面が光学部材の画角中央の光線とのなす角度が４５度より大きく設定されるように、ハーフミラー又は偏光子を設置している。これによれば、上記実施形態について説明したように、画角中央の光線との、ハーフミラー及びミラー面のなす角度を４５度より大きく設定することで、プリズムの大きさを小さくすることができる。
（態様１５）
（態様１）〜（態様１４）のいずれかにおいて、偏光合波手段と光学部材との間に、光学部材に入射する光線の量を規制する光学絞りを配置する。これによれば、上記実施形態１について説明したように、偏光ビームスプリッタ膜２３１又はミラー面２３２、２３３、２３４が設置されているプリズムに入射するとき既に画角に応じて光線が広がりを有している。このため、光線の広がりに応じてプリズムの大きさを設定する必要があるが、光学絞り２３５をプリズム側寄りに設置することでプリズムが大きくなることを抑制できる。
（態様１６）
（態様１）〜（態様１５）のいずれかにおいて、偏光ビームスプリッタは、ワイヤグリッド構造の偏光子膜が形成された面を有する偏光板を備えている。これによれば、上記実施形態１について説明したように、広く知られた半導体製造プロセスを利用して形成できる。耐熱性に優れ、高温になりやすい環境下においても好適に使用できる。
（態様１７）
（態様１）において、偏光合波手段は、クロスプリズムを含んで構成されている。これによれば、上記実施形態１について説明したように、偏光選択型のクロスプリズムを用いて偏光方向が異なる視差画像を取り込む。よって、耐環境性に富み、かつ安価なステレオカメラを提供できる。
（態様１８）
（態様１）〜（態様１７）のいずれかにおいて、視差をもった２つの画像間のクロストークを除去するクロストーク除去手段を有する。これによれば、上記実施形態１について説明したように、クロストークのない真の偏光成分の画像を得ることができる。
（態様１９）
（態様１８）において、クロストーク除去手段は、画面上の位置によってクロストークをキャンセルする量を変化させる。これによれば、上記実施形態１について説明したように、クロストークのない真の偏光成分の画像を得ることができる。
（態様２０）
（態様１７）において、クロスプリズムは、ワイヤグリッド構造の偏光子膜が形成された面を有する偏光板を備えている。これによれば、上記実施形態１について説明したように、偏光選択型のクロスプリズムを用いて偏光方向が異なる視差画像を取り込む。よって、耐環境性に富み、かつ安価なステレオカメラを提供できる。
（態様２１）
（態様１７）において、クロスプリズムにおける対向する側面に三角柱プリズム又は四辺柱プリズム又はミラーを設ける。これによれば、上記実施形態１について説明したように、三角柱プリズム又は四辺柱プリズムによって小型でかつ広範囲の視野を確保することができる。ミラーの場合は安価に構成することができる。
（態様２２）
（態様１）〜（態様２１）のいずれかにおいて、被写体から撮像手段までの間に赤外線カットフィルタを設ける。これによれば、上記実施形態について説明したように、左右の画像間のクロストークを低減することができる。
（態様２３）
（態様１）〜（態様２２）において、光学部材の光学面において撮像手段の撮像面に結像する光が入射する範囲にアライメントマーカーを設ける。これによれば、上記実施形態について説明したように、製造時、使用中何らかの環境変化や経時変化のときにも簡単にキャリブレーションを行うことができる。
（態様２４）
（態様２３）において、アライメントマーカーは、曲率を有する面を備える透明部材であり、曲率を有する面によって焦点を撮像手段の撮像面上に結ぶ。これによれば、上記実施形態について説明したように、本来の測距に影響することなく、キャリブレーションを行うことができる。
（態様２５）
（態様１）〜（態様２４）のいずれかにおいて、撮像手段とは視差を有する２つの画像を重ね合わせる手段を挟んで対峙するように、別の撮像手段を設ける。これによれば、上記実施形態１について説明したように、単体として多様な使用が可能となり、トータルとして低コスト化が図れる。
（態様２６）
（態様２５）において、移動体のウインドシールド上に特定波長の光を投光する光投光手段と、撮像手段とは視差を有する２つの画像を重ね合わせる手段を挟んで対峙するように設けられた光検出手段と、光検出手段に特定波長の光のみを透過させるフィルタとを有し、ウインドシールドからの反射光の光量に基づきウインドシールドに付着する雨滴を検出する。これによれば、上記実施形態について説明したように、偏光を利用して雨滴センサ機能を付加することができる。
（態様２７）
（態様１）〜（態様２６）のいずれかにおいて、視差をもった２つの画像の内の少なくとも一つに対して、座標変換処理を行う座標変換手段を有する。これによれば、上記実施形態について説明したように、光学系の歪みを補正して距離測定の高い性能とすることができる。
（態様２８）
（態様２）〜（態様２７）のいずれかにおいて、視差をもった２つの画像のブロックマッチング演算の中に、ブロック内の平均値を減算する距離算出手段を有する。これによれば、上記実施形態について説明したように、左右の画像における偏光による差の分をオフセットすることでキャンセルできる。
（態様２９）
（態様１）において、撮像手段は、画素ごとに異なる方向の偏光子を有する。これによれば、上記実施形態について説明したように、異なる偏光方向の画素を取り出して左右の画像を構成できることで、左右の画像を分離することができる。
（態様３０）
（態様２９）において、撮像手段によって撮像化した画素の偏光状態を補間する偏光状態補間処理手段を有する。これによれば、上記実施形態について説明したように、出力画像としては、全ピクセルに対して、対応するＳ画素とＰ画素を有する画像を出力することができる。
【符号の説明】
【００８０】
１００  ステレオカメラ
１０１  偏光重畳モジュール
１０１−１  偏光ビームスプリッタ
１０１−２  偏光フィルタ
１０１−３  ミラー
１０２  レンズ
１０３  フィルタ
１０４  撮像素子
１１１  被写体
１１２  プリズム
１１３  レンズ
１１４  撮像素子
２００  ステレオカメラ
２０１  基板
２０２  撮像素子
２０３  光学フィルタ
２０４  撮像レンズ
２０５  クロスプリズム
２０６  側面
２０７  側面
２０８  三角柱プリズム
２０９  三角柱プリズム
２１０  側面
２１１  ミラー
２１２  ミラー
２３１  偏光ビームスプリッタ膜
２３２  ミラー面
２３３  ミラー面
２３４  ミラー面
２３５  光学絞り
２４０  アライメントマーカー
２４１  偏光子
２４２  １／２波長板
２４３  １／４波長板
２４４  ハーフミラー
２５１  撮像素子
２５５  領域分割フィルタ
２５３  レンズ
２５４  レンズ絞り
２５５  偏光フィルタ
２５６  １／２波長板
２５７  レンズ
３０１  ステレオカメラ
３０２  信号処理装置
【先行技術文献】
【特許文献】
【００８１】
【特許文献１】特開２０１０−２４３４６３号公報
【特許文献２】米国特許第７０６１５３２号公報
【特許文献３】特開昭６２−２１７７９０号公報
【図１】
2014199241.tif 000011
【図２】
2014199241.tif 000012
【図３】
2014199241.tif 000013
【図４】
2014199241.tif 000014
【図５】
2014199241.tif 000015
【図６】
2014199241.tif 000016
【図７】
2014199241.tif 000017
【図８】
2014199241.tif 000018
【図９】
2014199241.tif 000019
【図１０】
2014199241.tif 000020
【図１１】
2014199241.tif 000021
【図１２】
2014199241.tif 000022
【図１３】
2014199241.tif 000023
【図１４】
2014199241.tif 000024
【図１５】
2014199241.tif 000025
【図１６】
2014199241.tif 000026
【図１７】
2014199241.tif 000027
【図１８】
2014199241.tif 000028
【図１９】
2014199241.tif 000029
【図２０】
2014199241.tif 000030
【図２１】
2014199241.tif 000031
【図２２】
2014199241.tif 000032
【図２３】
2014199241.tif 000033
【図２５】
2014199241.tif 000034
【図２６】
2014199241.tif 000035
【図２７】
2014199241.tif 000036
【図２８】
2014199241.tif 000037
【図２９】
2014199241.tif 000038
【図３０】
2014199241.tif 000039
【図３１】
2014199241.tif 000040
【図３２】
2014199241.tif 000041
【図３３】
2014199241.tif 000042
【図３４】
2014199241.tif 000043
【図３５】
2014199241.tif 000044
【図３６】
2014199241.tif 000045
【図３７】
2014199241.tif 000046
【図３８】
2014199241.tif 000047
【図３９】
2014199241.tif 000048
【図４０】
2014199241.tif 000049
【図４１】
2014199241.tif 000050
【図４２】
2014199241.tif 000051
【図４３】
2014199241.tif 000052
【図４４】
2014199241.tif 000053
【図４５】
2014199241.tif 000054
【図４６】
2014199241.tif 000055
【図２４】
2014199241.tif 000056